(57)【要約】【課題】固定側接触子と可動側接触子を有する開閉接触子のワイプ量を容易に確認できる回路遮断器を提供することにある。【解決手段】ロー付けされた接点１２を備えた固定側接触子４とロー付けされた接点１３を備えるとともに接触子ホルダー７に回転自在に設けられた可動側接触子９とを有し，接触子ホルダー７が開閉機構により回転操作される回路遮断器において，Ｕ字状の接触子ホルダー７の両脚の上縁部７ａを可動側接触子９の上縁９ａと隣接するように配置し，開路状態において可動側接触子９の角部９ｂから，可動側接触子９の移動方向に寸法Ｄ１及びＤ２（Ｄ２＞Ｄ１）離れた位置の接触子ホルダー７の上縁部７ａ上にそれぞれ第２のマーク１５及び第３のマーク１６を設ける。【選択図】　図５
2004055413.tif 000002
【特許請求の範囲】
【請求項１】
共に接点を備えた固定側接触子と前記固定側接触子と接触及び開離する可動側接触子，並びに前記可動側接触子を回転自在に保持する接触子ホルダーと前記接触子ホルダーを操作する開閉機構を有する回路遮断器において，
前記可動側接触子及び前記接触子ホルダーは共に前記可動側接触子の接点の移動方向に延びるとともに互いに隣接する隣接縁を有し，
前記接触子ホルダー及び前記可動側接触子のいずれか一方の前記隣接縁上の任意の位置に基準位置を設け，他方の前記隣接縁上に前記両接触子が開離しているとき前記基準位置と対向する位置に第１のマークを設けたことを特徴とする回路遮断器。
【請求項２】
共に接点を備えた固定側接触子と前記固定側接触子と接触及び開離する可動側接触子，並びに前記可動側接触子を回転自在に保持する接触子ホルダーと前記接触子ホルダーを操作する開閉機構を有する回路遮断器において，
前記可動側接触子及び前記接触子ホルダーは共に前記可動側接触子の接点の移動方向に延びるとともに互いに隣接する隣接縁を有し，
前記接触子ホルダー及び前記可動側接触子のいずれか一方の前記隣接縁上の任意の位置に基準位置を設け，他方の前記隣接縁上に前記基準位置から前記可動側接触子の接点の移動方向に前記可動側接触子の許容できるワイプ量の下限に相当する寸法離間した位置に第２のマークを設けたことを特徴とする回路遮断器。
【発明の詳細な説明】
【０００１】
【発明の属する技術分野】
本発明は，回路遮断器の開閉接触子のワイプ量を確認する技術に関する。
【０００２】
【従来の技術】
回路遮断器の開閉接触子のうち，可動側接触子は開閉機構に連結された回転自在の接触子ホルダーに回転自在に保持され，回転中心から離れた端部に固定側接触子の接点と接触する接点を備えている。両接点は電流を遮断したとき発生する高温のアークにより消耗するが，多少消耗してもこの開閉接触子構造は引き続いて使用できる構造となっている。この構造はワイピング構造といわれ，回路遮断器の閉路操作において可動側接触子の接点が固定側接触子の接点に接触して接点の移動が停止した後も，開閉機構はわずかに動作を続けて接触子ホルダーがわずかに回転する。すなわち，接触した後可動側接触子は接触子ホルダー上を相対的に回転することになる。言い換えれば，開閉機構の動作が停止した閉路動作が完了した状態で，固定側接触子を取り外すことができれば可動側接触子がわずかに回転する。このときの可動側接触子の接点の移動量をワイプ量と呼び，ワイプ量が零でないかぎり接点は接触する。
【０００３】
一方，回路遮断器の定格電流を安定して通電できるようにするためには接点間に所定の接触圧力が必要であり，開閉接触子には接圧ばねが設けられている。この接圧ばねは接点の消耗が大きくなるにつれて接触圧力が小さくなるように設けられているため，接点のワイプ量が所定の値より小さくなると安定して定格電流を通電できないという問題が発生する。したがって，回路遮断器は新品の状態や保守点検作業においてワイプ量が確認されている。
【０００４】
回路遮断器には固定側接触子を容易に取り外せない構造のものがあり，上述のワイプ量の確認は代替の方法によって確認されていた。すなわち，閉路動作を行っても動かない固定部材から開閉機構の任意の部材までの寸法，例えば可動側開閉接触子の回転軸までの寸法を，閉路操作をゆっくり行って接点が接触した瞬間と開閉機構が停止したときに測定し，その寸法差を可動側接触子の接点の位置における寸法差に換算してワイプ量としていた。
【０００５】
【発明が解決しようとする課題】
従来の回路遮断器にあっては，開閉接触子部材や開閉機構の一部が収納された狭いスペースで寸法を測定するのが困難であるという問題があった。
したがって，本発明は開閉接触子のワイプ量を容易に確認できる回路遮断器を提供することにある。
【０００６】
【課題を解決するための手段】
上記の問題を解決するために，請求項１の発明は，共に接点を備えた固定側接触子と固定側接触子と接触及び開離する可動側接触子，並びに可動側接触子を回転自在に保持する接触子ホルダーと接触子ホルダーを操作する開閉機構を有する回路遮断器において，可動側接触子及び接触子ホルダーは共に可動側接触子の接点の移動方向に延びるとともに互いに隣接する隣接縁を有し，接触子ホルダー及び可動側接触子のいずれか一方の隣接縁上の任意の位置に基準位置を設け，他方の隣接縁上に両接触子が開離しているとき基準位置と対向する位置に第１のマークを設けたこととしている。
【０００７】
このような構成により，閉路したとき互いに隣接する基準位置と第１のマークとの可動側接触子の移動方向の離間寸法を確認することによって容易にワイプ量を知ることができる。
請求項２の発明は，請求項１の第１のマークの代わりに，基準位置から許容できるワイプ量の下限に相当する寸法離間した位置に第２のマークを設けることとしているため，基準位置と第１のマークとの離間寸法を測定しなくとも，第２のマークが基準位置より接点側にあるか否かによってワイプ量が不足しているか否かの判定ができる。
【０００８】
【発明の実施の形態】
本発明の実施の形態を，図１ないし図４に示される第１の実施例及び図５及び図６に示される第２の実施例において説明する。図１及び図２を参照してこの第１の実施例の回路遮断器は，成型絶縁物製のケース１内に構成されている開閉接触子部材と，ケース１の外に構成されている開閉機構と，ケース１から突き出るように装着されたいずれかが入力側で他方が出力側の端子２及び端子３を有している。
【０００９】
開閉接触子部材は，端子２と接続されている固定側接触子４，ケース１に固定されているフレーム５，ホルダー軸６によってフレーム５に回転自在に設けられた成型絶縁物製の接触子ホルダー７，コンタクト軸８によって回転できるように接触子ホルダー７に設けられた可動側接触子９，可動側接触子９と端子３を接続する可撓リード１０並びに可動側接触子９を回転付勢する接圧ばね１１を有している。上述した固定側接触子４及び可動側接触子９にはそれぞれ接点１２及び接点１３がロー付けされている。さらに，このケース１には電流を遮断したとき発生するアークを消滅させる着脱自在の消弧装置１４が収納されており，ケース１の上部には着脱自在のカバー１ａが設けられている。なお，図２に示されているようにおいて可動側接触子９はコンタクト軸８上に複数設けられており，可撓リード１０及び接圧ばね１１は個々の可動側接触子９に対して独立して設けられている。なお，図２において可撓リード１０の図示は省略されている。
【００１０】
この第１の実施例の回路遮断器の開閉機構２０は詳細な図示と説明は省略するが，クロスバー２１とクロスバー２１と共に回転するレバー２２と，一端において連結軸２３によってレバー２２と連結され他端においてコンタクト軸８によって接触子ホルダー７と連結されるリンク２４を有している。
【００１１】
図１に示されている閉路状態においてこの回路遮断器の開路操作が行われると，クロスバー２１がレバー２２と共に反時計方向に回転し，リンク２４を介して接触子ホルダー７が可動側接触子９と共に反時計方向に回転する。この接触子ホルダー７の初期の回転中は，接点１２と接点１３の接触が維持された状態で，可動側接触子９が接触子ホルダー７上を相対的に時計方向にわずかに回転する。そして，可動接触子９の背面９ｃが接触子ホルダー７に設けられたストッパ２５に接触すると可動側接触子９は接触子ホルダー７と共に回転し両接点が開離する。閉路操作は開路操作の逆の動作をする。すなわち，接触子ホルダー７の時計方向の回転の終期に接点１２と接点１３が接触し，その瞬間に可動接触子９の背面９ｃがストッパ２５から離脱し，接触子ホルダー７がわずかにさらに回転を続ける。すなわち，可動側接触子９が接触子ホルダー７上を相対的に反時計方向にわずかに回転する。そして，開閉機構２０が図示されていないストッパによって動作が停止すると閉路動作が完了する。
【００１２】
図２を参照して，この回路遮断器の接触子ホルダー７はＵ字状でありその左右の両腕は複数の可動側接触子９の両端に位置する可動側接触子９と極めて接近するように配置され，その上縁部７ａが可動側接触子９の上縁部９ａと同一平面上に位置している。また，開路状態で図２の上方から見たときの接触部の部分図を示している図３を参照して，この実施例においてはワイプ量確認の基準位置を可動側接触子９の角部９ｂとしている。この角部９ｂは図１において可動側接触子９の上縁部９ａと左下方に延びる背面９ｃとが交わる部分である。この開路状態において，角部９ｂは接触子ホルダー７の角部７ｂと対向した位置にある。すなわち，この角部７ｂが特許請求の範囲に記載の第１のマークの作用をする。構造上，両角部９ｂと７ｂが対向しない場合は，可動側接触子９の角部９ｂと対向する位置の接触子ホルダー７の上縁部７ａ上に第１のマークを設けてもよい。なお，接触子ホルダー７の角部７ｂは図１において接触子ホルダー７の上縁部７ａと下方に延びる垂直縁との交点である。
【００１３】
閉路状態の部分図を示している図４を参照して，この回路遮断器が閉路されると接点１３が接点１２に接触した後は可動側接触子９の移動が停止，すなわち可動側接触子９の角部９ｂの移動が停止する。一方，接触子ホルダー７はさらに回転を続ける。そしてその回転が停止したとき可動側接触子９の角部９ｂと接触子ホルダー７の角部７ｂとが可動側接触子９の移動方向に離間している。この離間寸法Ｄがワイプ量であり，この寸法が所定の値Ｄ１とＤ２（Ｄ２＞Ｄ１）との間にあればワイプ量が適切ということになる。なお，値Ｄ１は，従来の技術で説明した電流を安定的に通電できるに必要なワイプ量の下限値に相当する。また，ワイプ量が大きすぎると，詳細な説明は省略するが，回路遮断器を閉路する開閉機構の力的余裕が小さくなるため上限値Ｄ２が規定され，回路遮断器が組み立てられた時に上限値を超えていないことも確認される。
【００１４】
第２の実施例の回路遮断器は，第１の実施例の第１のマークの代わりに，第２のマーク１５及び第３のマーク１６を接触子ホルダー７の上縁部７ａ上に設けたものである。図５を参照して，開路状態において第２のマーク１５及び第３のマーク１６は可動側接触子９の角部９ｂからそれぞれ上述の所定の寸法Ｄ１及びＤ２離間した位置に設けられている。閉路状態の部分図を示している図６を参照して，この回路遮断器の閉路操作が完了した時，可動側接触子９の角部９ｂが第２のマーク１５と第３のマーク１６との間に位置すれば適切なワイプ量と判断でき，第２のマーク１５よりも固定側の接点１２側にあればワイプ量が不足していることが分かる。
【００１５】
上述したいずれの実施例も，ワイプ量の測定や確認は，カバー１ａを取り外し，消弧装置１４を取り出すことによって簡単に回路遮断器の上方から行える。また，上述のようにワイプ量を確認する際の基準位置が設定されている部分（可動側接触子９の角部９ｂ）と第１のマークとなる接触子ホルダー７の角部７ｂ，第２のマーク１５及び第３のマーク１６とが，１）隣り合うように接近して，且つ，同じ平面状に位置しているため上方から見たとき視差なく正確にワイプ量の確認ができる上，２）可動側接触子の接点の移動方向に移動するように設けられているため換算する必要もなくワイプ量を確認できる。
【００１６】
なお，上述の両実施例では，可動側接触子９の角部９ｂをワイプ量確認の基準位置として，閉路したときの接触子ホルダー７の相対的移動量をもってワイプ量と確認するようにしている。しかし，これらの実施例とは逆に，接触子ホルダー７の任意の部分に基準位置を設けこの基準位置に対する可動側接触子９の相対的な移動量によってワイプ量を確認してもよい。
【００１７】
【発明の効果】
本発明は，以上説明した形態で実施され，請求項１の発明は，共に接点を有し固定側接触子と固定側接触子と接触及び開離する可動側接触子，並びに可動側接触子を回転自在に保持する接触子ホルダーと接触子ホルダーを操作する開閉機構を有する回路遮断器において，接触子ホルダーは可動側接触子の接点の移動方向の縁に隣接する隣接縁を有し，接触子ホルダーの隣接縁上及び可動側接触子の縁上のいずれか一方の任意の位置に基準位置を設け，他方に両接触子が開離しているとき基準位置と対向する位置に第１のマークを設けることとしているため，閉路したとき互いに隣接する基準位置と第１のマークとの離間寸法を確認することによって容易にワイプ量を知ることができるという効果を奏する。
【００１８】
請求項２の発明は，請求項１の第１のマークの代わりに，基準位置から許容できるワイプ量の下限に相当する寸法寸法離間した位置に第２のマークを設けることとしているため，基準位置と第１のマークとの離間寸法を測定しなくとも，第２のマークが基準位置より接点側にあるか否かによってワイプ量が不足しているか否かを容易に判定できるというような効果を奏する。
【図面の簡単な説明】
【図１】本発明による回路遮断器の実施例の側面断面図である。
【図２】図１の部分正面図である。
【図３】図２の開閉接触部の開路状態における，本発明による第１の実施例の部分平面図である。
【図４】図３に相当する閉路状態における部分平面図である。
【図５】図２の開閉接触部の開路状態における，本発明による第２の実施例の部分平面図である。
【図６】図５に相当する閉路状態における部分平面図である。
【符号の説明】
１　ケース
１ａ　カバー
２，３　端子
４　固定側接触子
５　フレーム
６　ホルダー軸
７　接触子ホルダー
７ａ　上縁部
７ｂ　角部
８　コンタクト軸
９　可動側接触子
９ａ　上縁
９ｂ　角部
９ｃ　背面
１０　可撓リード
１１　接圧ばね
１２，１３　接点
１４　消弧装置
１５　第２のマーク
１６　第３のマーク
２０　開閉機構
２１　クロスバー
２２　レバー
２３　連結軸
２４　リンク
２５　ストッパ
【図１】
2004055413.tif 000003
【図２】
2004055413.tif 000004
【図３】
2004055413.tif 000005
【図４】
2004055413.tif 000006
【図５】
2004055413.tif 000007
【図６】
2004055413.tif 000008